【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
多元接続通信ネットワークを介して通信するための方法であって、
第１のデバイスから第１の信号を受信する工程であって、前記第１の信号が第１の所定の擬似雑音（ＰＮ）符号を用いて拡散し、前記第１の信号が第１のランダム・タイミング・オフセットを有し、更に前記第１の信号が第１のペイロード・データを含む、前記受信する工程と、
前記多元接続通信ネットワークの第１の特性に基づき、前記第１のペイロード・データの第１の送信先を選択する工程と、
前記第１のペイロード・データを前記選択された第１の送信先に送信する工程と
を含む、方法。
【請求項２】
第２のデバイスから第２の信号を受信する工程であって、前記第２の信号が第２の所定のＰＮ符号を用いて拡散し、前記第２の信号が第２のランダム・タイミング・オフセットを有し、更に前記第２の信号が第２のペイロード・データを含む、前記受信する工程と、
前記多元接続通信ネットワークの第２の特性に基づき、前記第２のペイロード・データの第２の送信先を選択する工程と
を更に含む、請求項１記載の方法。
【請求項３】
前記第１の送信先及び前記第２の送信先が同一であるかどうかを決定する工程と、
前記第１の送信先及び前記第２の送信先が同一の場合、前記第２のペイロード・データを前記第１のペイロード・データとともに、前記選択された第１の送信先に送信する工程と
を更に含む、請求項２に記載の方法。
【請求項４】
前記多元接続通信ネットワークの前記第１の特性が、デバイスに割り当てられたシード値である、請求項１に記載の方法。
【請求項５】
ブロードキャスト・チャネル上で、第１のシード値を含む第１の通信信号を受信する工程と、
前記受信した第１の通信信号に基づいて第２のシード値を選択する工程と
を更に含む、請求項１に記載の方法。
【請求項６】
前記第１のシード値に基づいてデバイスに関連付ける要求を通信する工程を更に含む、請求項５に記載の方法。
【請求項７】
前記受信した第一の通信信号の出力測定に基づいてデバイスに関連付ける要求を通信する工程を更に含む、請求項５に記載の方法。
【請求項８】
関連付けられたデバイスからの送信を受信する工程を更に含む、請求項１に記載の方法。
【請求項９】
前記受信した送信に基づいてタイミングを決定する工程を更に含む、請求項８に記載の方法。
【請求項１０】
前記受信した送信に基づいて送信出力レベルを決定する工程を更に含む、請求項８に記載の方法。
【請求項１１】
１つ以上の受信されなかったメッセージに基づいて第２のデバイスと関連付ける要求を通信する工程を更に含む、請求項５に記載の方法。
【請求項１２】
ブロードキャスト・チャネル上で、第２の通信信号を前記選択した第２のシード値で送信する工程を更に含む、請求項５に記載の方法。
【請求項１３】
隣接するデバイスに、ピアとして通信することを許可する、ブロードキャスト・チャネル・メッセージを送信する工程を更に含む、請求項１に記載の方法。
【請求項１４】
前記第２の所定のＰＮ符号が、前記第１の所定のＰＮ符号と同一である、請求項２に記載の方法。
【請求項１５】
前記受信した通信信号から、フレーム・タイミング又は周波数ドリフトを決定する工程を更に含む、請求項１に記載の方法。
【請求項１６】
前記多元接続通信ネットワークがメッシュネットワークを備える、請求項１に記載の方法。
【請求項１７】
前記メッシュネットワークがＩＥＥＥ８０２．１１規格のセットに基づく、請求項１６に記載の方法。
【請求項１８】
第１のデバイスから第１の信号を受信するように構成された受信器であって、前記第１の信号が第１の所定の擬似雑音（ＰＮ）符号を用いて拡散し、前記第１の信号が第１のランダム・タイミング・オフセットを有し、更に前記第１の信号が第１のペイロード・データを含む、前記受信器と、
伝送器と、
前記受信器及び伝送器に電気的に連結し、前記受信器による前記第１の信号の受信を管理し、前記多元接続通信ネットワークの特性に基づいて１つ以上のデバイスからの第１のペイロード・データの第１の送信先を選択し、かつ前記伝送器による前記第１のペイロード・データの前記第１の送信先への送信を管理するように動作可能な、制御装置と
を備える、多元接続通信ネットワークを介して通信するための装置。
【請求項１９】
前記多元接続通信ネットワークの特性が、デバイスに割り当てられたシード値である、請求項１８に記載の装置。
【請求項２０】
通信ネットワーク内のブロードキャスト・チャネル上の第一のシード値を含む第１の通信信号の受信を管理し；前記受信した第１の通信信号に基づいて第２のシード値を選択し；かつ通信ネットワーク内のブロードキャスト・チャネル上の前記選択された第２のシード値を持つ第２の通信信号の送信を管理するように動作可能な、制御装置
を更に備える、請求項１８に記載の装置。
【手続補正２】
【補正対象書類名】明細書
【補正対象項目名】００２０
【補正方法】変更
【補正の内容】
【００２０】
これら並びに他の特徴、態様、及び利点は、以下の記述、添付の特許請求の範囲、及び以下に簡単に説明される図面中に示される、付随する例示的な実施形態から明白になるであろう。
[本発明1001]
多元接続通信ネットワークを介して通信するための方法であって、
第1のデバイスから第1の信号を受信する工程であって、前記第1の信号が第1の所定の擬似雑音（ＰＮ）符号を用いて拡散し、前記第1の信号が第1のランダム・タイミング・オフセットを有し、更に前記第1の信号が第1のペイロード・データを含む、前記受信する工程と、
前記多元接続通信ネットワークの第1の特性に基づき、前記第1のペイロード・データの第1の送信先を選択する工程と、
前記第1のペイロード・データを前記選択された第1の送信先に送信する工程と
を含む、方法。
[本発明1002]
第2のデバイスから第2の信号を受信する工程であって、前記第2の信号が第2の所定のＰＮ符号を用いて拡散し、前記第2の信号が第2のランダム・タイミング・オフセットを有し、更に前記第2の信号が第2のペイロード・データを含む、前記受信する工程と、
前記多元接続通信ネットワークの第2の特性に基づき、前記第2のペイロード・データの第2の送信先を選択する工程と
を更に含む、本発明1001の方法。
[本発明1003]
前記第1の送信先及び前記第2の送信先が同一であるかどうかを決定する工程と、
前記第1の送信先及び前記第2の送信先が同一の場合、前記第2のペイロード・データを前記第1のペイロード・データとともに、前記選択された第1の送信先に送信する工程と
を更に含む、本発明1002の方法。
[本発明1004]
前記多元接続通信ネットワークの前記第1の特性が、デバイスに割り当てられたシード値である、本発明1001の方法。
[本発明1005]
ブロードキャスト・チャネル上で、第1のシード値を含む第1の通信信号を受信する工程と、
前記受信した第1の通信信号に基づいて第2のシード値を選択する工程と
を更に含む、本発明1001の方法。
[本発明1006]
前記第1のシード値に基づいてデバイスに関連付ける要求を通信する工程を更に含む、本発明1005の方法。
[本発明1007]
前記受信した第一の通信信号の出力測定に基づいてデバイスに関連付ける要求を通信する工程を更に含む、本発明1005の方法。
[本発明1008]
関連付けられたデバイスからの送信を受信する工程を更に含む、本発明1001の方法。
[本発明1009]
前記受信した送信に基づいてタイミングを決定する工程を更に含む、本発明1008の方法。
[本発明1010]
前記受信した送信に基づいて送信出力レベルを決定する工程を更に含む、本発明1008の方法。
[本発明1011]
1つ以上の受信されなかったメッセージに基づいて第2のデバイスと関連付ける要求を通信する工程を更に含む、本発明1005の方法。
[本発明1012]
ブロードキャスト・チャネル上で、第2の通信信号を前記選択した第2のシード値で送信する工程を更に含む、本発明1005の方法。
[本発明1013]
隣接するデバイスに、ピアとして通信することを許可する、ブロードキャスト・チャネル・メッセージを送信する工程を更に含む、本発明1001の方法。
[本発明1014]
前記第2の所定のＰＮ符号が、前記第1の所定のＰＮ符号と同一である、本発明1002の方法。
[本発明1015]
前記受信した通信信号から、フレーム・タイミング又は周波数ドリフトを決定する工程を更に含む、本発明1001の方法。
[本発明1016]
前記多元接続通信ネットワークがメッシュネットワークを備える、本発明1001の方法。
[本発明1017]
前記メッシュネットワークがＩＥＥＥ802．11規格のセットに基づく、本発明1016の方法。
[本発明1018]
第1のデバイスから第1の信号を受信するように構成された受信器であって、前記第1の信号が第1の所定の擬似雑音（ＰＮ）符号を用いて拡散し、前記第1の信号が第1のランダム・タイミング・オフセットを有し、更に前記第1の信号が第1のペイロード・データを含む、前記受信器と、
伝送器と、
前記受信器及び伝送器に電気的に連結し、前記受信器による前記第1の信号の受信を管理し、前記多元接続通信ネットワークの特性に基づいて1つ以上のデバイスからの第1のペイロード・データの第1の送信先を選択し、かつ前記伝送器による前記第1のペイロード・データの前記第1の送信先への送信を管理するように動作可能な、制御装置と
を備える、多元接続通信ネットワークを介して通信するための装置。
[本発明1019]
前記多元接続通信ネットワークの特性が、デバイスに割り当てられたシード値である、本発明1018の装置。
[本発明1020]
通信ネットワーク内のブロードキャスト・チャネル上の第一のシード値を含む第1の通信信号の受信を管理し；前記受信した第1の通信信号に基づいて第2のシード値を選択し；かつ通信ネットワーク内のブロードキャスト・チャネル上の前記選択された第2のシード値を持つ第2の通信信号の送信を管理するように動作可能な、制御装置
を更に備える、本発明1018の装置。